【事件の表示】
　平成　７年特許願第　　７６５３号「オーディオ信号混合装置」拒絶査定不服審判事件〔平成　８年　７月３０日出願公開、特開平　８−１９５０６８〕について、次のとおり審決する。
【結　論】
　本件審判の請求は、成り立たない。
【理　由】
１．手続の経緯・本願発明
　本願は、平成７年１月２０日の出願であって、その請求項１〜５に係る発明は、平成１５年５月２９日付け手続補正によって補正された明細書の特許請求の範囲の請求項１〜５に記載されたとおりのものと認められるところ、そのうち請求項１に係る発明（以下、「本願発明」という。）は、次のとおりである。
「第１オーディオ信号を生成する第１オーディオ信号生成手段と、第２オーディオ信号を生成する第２オーディオ信号生成手段と、を接続可能なオーディオ信号混合装置であって、
　第１端と第２端との間における位置を指定するための単一の操作子と、
　前記操作子の指定位置が前記第２端に近いほど前記第１オーディオ信号レベルを大きく低減させ前記操作子の指定位置が前記第１端に近いほど前記第２オーディオ信号レベルを大きく低減させるレベル調整手段と、
　前記レベル調整手段によってレベル調整された前記第１及び第２オーディオ信号を加算する加算手段と、
　前記操作子の指定位置を判別する手段と、
　前記操作子の指定位置が前記第１端であるときに前記第２オーディオ信号生成手段に前記第２オーディオ信号の生成動作の停止を指令し前記操作子の指定位置が前記第２端であるときに前記第１オーディオ信号生成手段に前記第１オーディオ信号の生成動作の停止を指令する制御手段とからなり、
　前記制御手段は、前記操作子の指定位置が前記第１端を離れたとき前記第２オーディオ信号生成手段に前記第２オーディオ信号の生成動作の開始を指令し、前記操作子の指定位置が前記第２端を離れたとき前記第１オーディオ信号生成手段に前記第１オーディオ信号の生成動作の開始を指令することを特徴とするオーディオ信号混合装置。」
　
２．引用例
（２−１）第１引用例
　これに対して、原査定の拒絶の理由に引用された、本願出願前に頒布された刊行物である特開昭５８−５０６８５号公報（以下、「第１引用例」という。）には、図面とともに以下の技術事項が記載されている。
（ａ）「一方、Ｐ1，Ｐ2はそれぞれ第１および第２ディジタル録音再生装置（以下ＰＣＭテープレコーダと呼ぶ）からのＰＣＭデータ入力端子である。」（３頁左上欄１９行〜同頁右上欄２行）
（ｂ）「１５は入力端子Ｐ1から入力される第１のＰＣＭテープレコーダのＰＣＭデータと入力端子Ｐ2から入力される第２のＰＣＭテープレコーダのＰＣＭデータをディジタル演算してクロスフェードを生じさせるためのクロスフェード処理回路である。」（３頁右上欄８行〜同欄１３行）
（ｃ）「次に第２図（ａ）の第１のテープの編集点付近になると、クロスフェードを行うが、ここでクロスフェード処理について具体的に述べる。第９図は第３図におけるクロスフェード処理回路１５の詳細なブロック図である。Ｆｉ1は第３図におけるＰ1からのＰＣＭデータ入力、Ｆｉ2は同じくＰ2からのＰＣＭデータ入力である。
　編集者が・・・。６１は可変抵抗などから構成されるマニュアルフェーダ・・・６８はＦｉ1から入力されるＰＣＭデータと、６７スイッチからのフェーダーディジタル信号とを演算する乗算回路、６９はスイッチ７からのフェーダーディジタル信号を反転するインバータ、７０はＦｉ2から入力されるＰＣＭデータと、インバータ６９からのフェーダーディジタル信号とを演算する乗算回路、７１は乗算回路６８，７０の出力を加算する加算回路である。編集者はマニュアルフェーダー６１の抵抗値を無限大からゼロとなる方向に操作すると、フェーダーインターフェース６２は、抵抗値の変化をＤＣ電圧変化に変換する。このＤＣ電圧は、Ａ／Ｄ変換回路６３でクロック発生回路６６のクロックによりサンプリングされディジタル信号に変換される。この特性を第１０図７２とする。・・・乗算回路６８は、Ｆｉ1から入力されたＰＣＭデータと、スイッチ６７を介し入力されたフェーダーディジタル信号とを演算しＦｉ1から入力されたＰＣＭデータをフェードアウトする。
　またスイッチ６７を介したフェーダーディジタル信号は、インバータ６９により反転され乗算回路７０に入力される。乗算回路７０は、Ｆｉ2から入力されたＰＣＭデータと、インバータ６９により入力されたフェーダーディジタル信号とを演算しＦｉ2から入力されたＰＣＭデータをフェードインする。さらに加算回路７１は乗算回路６８によりフェードアウトしたＰＣＭデータと、乗算回路７０によりフェードインしたＰＣＭデータとを加算しクロスフェードされたＦoの出力を得る。このＦoは、第３図のスイッチ１７に入力される。
　・・・（中略）・・・
　ゆえに編集者は、・・・マニュアルフェーダー６１を操作することにより独特のクロスフェード特性（例えば第１０図の特性）を得ることができる。」（８頁左上欄１５行〜第９頁左上欄４行）
　
　摘記した第１引用例記載事項及び図面を総合勘案すると、第１引用例には、結局、次の発明（以下、「引用発明」という。）が記載されている。
「第１のＰＣＭテープレコーダのＰＣＭデータと第２のＰＣＭテープレコーダのＰＣＭデータを入力としたクロスフェード処理回路であって、可変抵抗などから構成されるマニュアルフェーダ（６１）を備え、当該マニュアルフェーダを操作することにより、互いに反転関係のフェーダーディジタル信号を生成し、それぞれのフェーダーディジタル信号を第１のＰＣＭテープレコーダのＰＣＭデータ及び第２のＰＣＭテープレコーダのＰＣＭデータにそれぞれ乗算し、加算するクロスフェード処理回路。」
　
（２−２）第２引用例
　また、同じく原査定の拒絶の理由に引用された、本願出願前に頒布された刊行物である実願昭５９−６４２００号（実開昭６０−１７５３８１号公報）のマイクロフィルム（以下、「第２引用例」という。）には、図面とともに以下の技術事項が記載されている。
（ｄ）「本考案は上記にかんがみなされたもので、第１のデッキの出力および外部プレーヤの出力等、２つのソース源を交互に制御し、同時に電子ボリュームを制御することにより、簡単に同期クロスフェード録音することのできる磁気記録再生装置を提供することを目的とする。」（２頁１５行〜同頁２０行）
（ｅ）「一方、キースイッチＳｓのオンと同時に第２図（ｅ）に示す如く制御回路１２のＰＬ信号は高電位となり、プレーヤ１５は再生状態になる。同時に第２図（ｄ）に示す如く制御回路１２の出力ＭＥＴＥＲは１０秒間高電位となり、この間メータ９はレベルメータからフェーダメータに切換る。また制御回路１２の出力ＭＥＴＥＲが、上記１０秒間が経過して低電位になったとき、制御回路１２は第１のデッキを停止、すなわち、第１のデッキの駆動部は停止し、同期クロスフェード録音を完了する。
　ここで、第１のデッキ、プレーヤ１５、電子ボリューム２および６の出力、第２のデッキの状態は第３図（ａ）〜（ｅ）に示す如くになる。
　つぎに、テープフェードインキースイッチＳTをオン状態にすることにより、上記と逆の作用が行なわれる。またついでスイッチＳT、Ｓｓを交互にオン状態にすることにより上記の動作が繰返される。」（６頁２０行〜７頁１７行）
　
３．対比
　そこで、本願発明と引用発明とを対比する。
　引用発明における「第１のＰＣＭテープレコーダ」、「第２のＰＣＭテープレコーダ」及び「クロスフェード処理回路」は、本願発明における「第１オーディオ信号生成手段」、「第２オーディオ信号生成手段」及び「オーディオ信号混合装置」にそれぞれ相当する。
　また、引用発明における「マニュアルフェーダ」は、第１引用例第９図の参照番号６１に「第１端と第２端との間における位置を指定する」構成が図示されているから、本願発明における「単一の操作子」そのものであり、引用発明における、互いに反転関係のフェーダーディジタル信号を生成し、それぞれ各ＰＣＭデータに乗算する構成、及び、それらを加算する構成についても、本願発明における「レベル調整手段」及び「加算手段」と何ら相違しないものである。
　すると、本願発明と引用発明の一致点及び相違点はそれぞれ次のとおりである。
＜一致点＞
「第１オーディオ信号を生成する第１オーディオ信号生成手段と、第２オーディオ信号を生成する第２オーディオ信号生成手段と、を接続可能なオーディオ信号混合装置であって、
　第１端と第２端との間における位置を指定するための単一の操作子と、
　前記操作子の指定位置が前記第２端に近いほど前記第１オーディオ信号レベルを大きく低減させ前記操作子の指定位置が前記第１端に近いほど前記第２オーディオ信号レベルを大きく低減させるレベル調整手段と、
　前記レベル調整手段によってレベル調整された前記第１及び第２オーディオ信号を加算する加算手段と、
からなるオーディオ信号混合装置。」
　
＜相違点＞
　本願発明のオーディオ信号混合装置は、さらに、操作子の指定位置を判別する手段と、操作子の指定位置が第１端であるときに第２オーディオ信号生成手段に第２オーディオ信号の生成動作の停止を指令し、操作子の指定位置が第２端であるときに第１オーディオ信号生成手段に第１オーディオ信号の生成動作の停止を指令し、操作子の指定位置が第１端を離れたとき第２オーディオ信号生成手段に第２オーディオ信号の生成動作の開始を指令し、操作子の指定位置が第２端を離れたとき第１オーディオ信号生成手段に第１オーディオ信号の生成動作の開始を指令する制御手段を備えるのに対し、引用発明のものは、各オーディオ信号生成手段の信号生成動作の停止及び開始について、特に示されていない点。
　
４．当審の判断
　そこで、上記相違点について検討する。
　引用発明のような操作子を用いてクロスフェードを行うものにおいては、操作子がいずれかの端から離れたときにクロスフェードが開始され、いずれかの端に到達したときにクロスフェードが終了することは当然のこととして理解されるところ、第２引用例には、クロスフェードの開始と同時にフェードインする側の信号源の信号生成動作を開始させ、クロスフェードの終了と同時にフェードアウトする側の信号源の信号生成動作を停止させるものが記載されているのであるから、引用発明において、操作子がいずれかの端から離れたときにフェードインする側の信号源の信号生成動作を開始させ、いずれかの端に到達したときにフェードアウトする側の信号源の信号生成動作を停止させるようにすること、より具体的には、操作子の指定位置が第１端であるときに第２オーディオ信号生成手段に第２オーディオ信号の生成動作の停止を指令し、操作子の指定位置が第２端であるときに第１オーディオ信号生成手段に第１オーディオ信号の生成動作の停止を指令し、操作子の指定位置が第１端を離れたとき第２オーディオ信号生成手段に第２オーディオ信号の生成動作の開始を指令し、操作子の指定位置が第２端を離れたとき第１オーディオ信号生成手段に第１オーディオ信号の生成動作の開始を指令する制御手段を、操作子の指定位置を判別する手段とともに設けるようにすることは、当業者が容易に想到し得ることと認められる。
　
５．むすび
　以上のとおり、本願の請求項１に係る発明は、第１引用例及び第２引用例に記載された発明に基づいて当業者が容易に発明をすることができたものであるから、特許法第２９条第２項の規定により特許を受けることができない。 
　したがって、本願は、その余の請求項について論及するまでもなく、拒絶すべきものである。 
　よって、結論のとおり審決する。